(57)【要約】      （修正有）【課題】ダム等に堆積した土砂を取り除く場合、自然脱水が可能で、特殊な機械装置を設けないで、濁水の凝集、撹拌、接触、沈降、脱水などの一連の処理が極めて簡単に行える処理方法であり、スペースをとらない簡単な装置によってダム等の濁水を処理する方法を提供する。【解決手段】濁水に活性フロックスラリーを添加して、この濁水を溝内２にコアが設けられた溝形シュート１に流して処理することからなる濁水の処理方法。【選択図】図１
2008207163.tif 000002
【特許請求の範囲】
【請求項１】
濁水に活性フロックスラリーを添加して、この濁水をコアが設けられた溝形シュートに流して処理することを特徴とする濁水の処理方法。
【請求項２】
濁水に活性フロックスラリーを添加して、この濁水をコアが設けられた溝形シュートに流して処理した後、水流傾斜板を有する沈降池で処理した後、さらに礫間接触材が充填された溝形シュートで処理することを特徴とする濁水の処理方法。
【発明の詳細な説明】
【技術分野】
【０００１】  本発明は、ダム等における濁水の処理方法に関する。
【背景技術】
【０００２】  従来、ダム等に堆積した土砂はそのまま放置すると堆積量が増大し、ダムの水深が浅くなり、ダムの役割を果さなくなるために、ある程度堆積したところで取り除く必要があった。これらの堆積した土砂は、通常沈澱池等により土砂を分離し、清澄化された水は川に戻され処理されていた。
【発明の開示】
【発明が解決しようとする課題】
【０００３】  しかしながら、例えばダムのような場合、大型の沈殿池を連設するスペースがない場合が多く、また予め製作した小型の沈澱装置を搬入して処理しても処理量に限界があり、満足する土砂の除去を行うことは不可能であった。
そこで本発明者は、自然脱水が可能となり、特殊な機械装置を設けないで、濁水の凝集、攪拌、接触、沈降、脱水などの一連の処理が極めて簡単に行えるような処理方法について種々研究を重ねた結果本発明を完成するに至った。
すなわち、本発明は、濁水に活性フロックスラリーを添加して、コアが設けられた溝形シュートに流して処理することを特徴とする濁水の処理方法である。
【発明の効果】
【０００４】  本発明方法によれば、多粒子凝集による粒子相互の接触頻度が多く、汚濁粒子の付着、接触、肥大化を促進し、明確な固液分離が得られ、薬品注入量の削減ができる。また薬注量が濁水の濁度に追随できなかった場合でも、本発明方法によれば既成活性フロックが溝形シュート内に設けたコア内に滞留して再接触できるため、凝集効果が得られる。さらに沈降池を設ける場合該沈降池に無閉塞の水流傾斜板を設置すると、スラッジブランケットの接触、濾過層が自然形成され、多粒子の雲状塊（クラウド）の粒子層濾過が形成されると共に沈降池内の秩序の区画と整流効果で沈降促進効果が得られる。
【発明を実施するための最良の形態】
【０００５】  次に本発明方法について以下に説明するが、本発明は以下の説明のみに限定されるものではない。
まず本発明方法に使用する溝形シュートについて説明する。
図１に示すように溝を有するシュート１（以下単にシュートということがある）の溝内２に、例えば図２に示すような正六角形のコア３を整列させて設けることによって図３に示すような溝形シュート４が形成される。【０００６】  本発明の溝を有するシュート１の断面形状は、図１のような角形の他、Ｕ字形等種々の形状のものが使用できる。シュート１は、木製、コンクリート製、鋼板製、合成樹脂製等いずれの素材も使用することができる。また他の態様としては、地面を掘ってシュートの形状とし、その表面をシートで覆って形成した場合でもよい。またシュート１の形態は直線形、曲線形、折曲形等種々の形状のものが使用できる。【０００７】  コア３も図２に示した六角形をしたもの以外に、例えばタイヤ、板、不織布、合成繊維を用いてシュート１内に区画が設けられるように形成すれば、いずれも好適にコア３とすることができる【０００８】  本発明方法は、前記溝形シュート４内で活性フロックスラリーと混合接触させて処理した処理水を水流傾斜板を設置した沈降池に導入して懸濁粒子を除去し、その後礫間接触材が充填されたシュートを通過させることによって処理水の清澄化を一層向上させることができる。【０００９】  次に本発明の処理方法について図４を参照しながら説明する。
ダムの濁水をポンプで汲み上げて水流混合装置５に導入する。これと同時に溝形シュート４で処理された活性フロックスラリー（処理水の一部）を管６によって薬注混合装置７に導入する。薬注混合装置７は活性フロックスラリーの他、薬注設備８から凝集剤が導入され、それらを混合する。この混合された処理水を水流混合装置５に添加し濁水と混合する。
水流混合装置５で処理水と混合された濁水は、コア３を有する溝形シュート４に導入される。導入された濁水はコア内に滞留した活性フロックと濁水が順次接触し、多点凝集・接触攪拌される。尚この際濁水が酸性の場合アルカリ剤を添加して中和することが好ましい。本発明の溝形シュート４は濁水が下流に向かって流れるように傾斜して設けることが必要である。
このように処理することによって濁水中の粒子はフロック形成がされてコア内に滞留し除去される。
前記溝形シュート４は、濁水の状態により、任意の数連結することによって所望する長さに設置することができる。更に溝形シュート４は、滞留した活性フロックと濁水が接触し、多点凝集・接触攪拌等を促進するために、溝形シュート４の内壁側に突出する板状の邪魔板９を取り付けるのが望ましい。
前記溝形シュート４の一部に活性フロックスラリー溜槽１０を設けると、安定的に活性フロックスラリーを薬注混合装置７に供給することができる。活性フロックスラリー溜槽１０は溝形シュート４の入り口部、中間部、出口部に設けることが出来る。
活性フロックスラリー溜槽１０を設けた場合、溝形シュート４は活性フロックスラリーが活性フロックスラリー溜槽１０向かって流れるように傾斜して設けることが必要である。【００１０】  次に溝形シュート４によって処理された処理水は、そのまま河川に放流することもできるが、さらに清澄化を行いたい場合には沈降池１１に導入して処理する。この沈降池１１には、図５に示すようなフロート１２にシート状、ネット状等の膜１３を垂下させた水流傾斜板１４を設けることが好ましい。
このような沈降池１１に導入された処理水は水流傾斜板１４によってスラッジブランケットの接触・濾過層が形成され、多粒子を雲状塊（クラウド）の粒子層濾過が行われる。沈降池１１から流出した処理水は、次にカキガラ等の礫間接触材１５が充填された溝形シュート１６内に導入されることにより、微アルカリ調節が行われ一層清澄化され清澄水として河川に放流する。
【図面の簡単な説明】
【００１１】
【図１】  本発明の溝形を有するシュートの斜視図
【図２】  六角形状のコアの斜視図
【図３】  本発明の溝形シュートの平面図
【図４】  本発明の処理方法を行うための処理装置の平面図
【図５】  水流傾斜板の正面図
【図６】  水流傾斜板の側面図
【符号の説明】
【００１２】  １・・・溝を有するシュート
３・・・コア
４・・・溝形シュート
【図１】
2008207163.tif 000003
【図２】
2008207163.tif 000004
【図３】
2008207163.tif 000005
【図４】
2008207163.tif 000006
【図５】
2008207163.tif 000007
【図６】
2008207163.tif 000008